(57)【要約】  【課題】  従来のバッテリーコネクタは、略直方体の６面のいずれか一つにしかプリント配線基板を取り付けることができなかった。  【解決手段】  バッテリーコネクタＢＣを、ハウジング１にコンタクト部材２を嵌合させた後、コンタクト部材２のプリント配線基板装着部２３の装着底面部２３ａとハウジング外壁面１２ａによる同一平面を第１プリント配線基板実装面１１ａとして形成し、装着側面部２３ｂとハウジング外壁面１２ｂによる同一平面を第２プリント配線基板実装面１１ｂとして形成し、２つのプリント配線基板実装面１１ａ、１１ｂのどちら面によってもプリント配線基板３にハンダ付けされて取り付けることが可能とすることによって行う。【選択図】  図２
2005190925.tif 000002
【特許請求の範囲】
【請求項１】
コンタクト部材を嵌合可能なコンタクト部材用嵌合凹部と、コンタクト部材のプリント配線基板装着部と嵌合可能な壁端部と、コンタクト部材の装着底面部と同一平面を形成する外壁面と、コンタクト部材の装着側面部と同一平面を形成する外壁面とを有するハウジングと、
外部から挿入される板状体と接触可能な接触部分を有するバネ体と、ハウジングの嵌合凹部に対応する形状を有する嵌合部と、ハウジング壁端部に嵌合可能なプリント配線基板装着部を有するコンタクト部材とからなり、
ハウジングにコンタクト部材を嵌合させた後、コンタクト部材のプリント配線基板装着部の装着底面部とハウジング外壁面による同一平面を第１プリント配線基板実装面として形成し、装着側面部とハウジング外壁面による同一平面を第２プリント配線基板実装面として形成し、２つのプリント配線基板実装面のどちら面によってもプリント配線基板にハンダ付けされて取り付けることが可能なことを特徴とするバッテリーコネクタ。
【発明の詳細な説明】
【技術分野】
【０００１】
この発明は、バッテリーコネクタ、詳細にはプリント配線基板（ＰＷＢ）にハンダ付け等により固定されて使用される携帯機器用バッテリーコネクタに関する。
【背景技術】
【０００２】
バッテリーコネクタは、一般的にプリント配線基板（ＰＷＢ）に取り付けられ電子機器に内蔵される被実装基板と接続されて使用されており、ハウジングからコンタクト部材の端部が露出し、ハンダ付け用部分が平板状に突出していた。
【０００３】
図４及び図５に示す従来技術１である３ＰバッテリーコネクタＰ１は、ハウジング１００の内部に３つのコ字形バネ部からなるコンタクト部材１０１を備えており、図４のＢＢ線断面である図５に示されるようにコンタクト部材１０１の後端延長部が断面でＬ字形状に後方へ向かって折り曲げられ、その後方へ折り曲げられた部分をハンダ付け部１０２として形成され、ハンダ付け部１０２の一つの面によってプリント配線基板３にハンダ付けによって取り付けられている。
【０００４】
また、図６及び７に示す従来技術２である４ＰバッテリーコネクタＰ２は、ハウジング２００と、４つのコ字形バネ部からなるコンタクト部材２０１を備えており、コンタクト部材２０１の後部延長部は、プリント配線基板３方向へ突出したハンダ付け部２０２として形成され、取り付け時にプリント配線基板３の取り付け孔に挿入されて取り付けられていた。
【０００５】
そして、従来技術１のバッテリーコネクタＰ１及び従来技術２のバッテリーコネクタＰ２とも、プリント配線基板に装着する面は、１つの面しか使用できない構成である。
【発明の開示】
【発明が解決しようとする課題】
【０００６】
従来技術１及び従来技術２等の従来のバッテリーコネクタＰ１、Ｐ２等は、プリント配線基板を取り付けるプリント配線基板実装面が、コンタクト部材のハンダ付け部のある面をハウジングの一つの面にしか設けられていないため、その限定された１つの実装面でプリント配線基板３に装着していた。したがって、プリント配線基板３を装着したバッテリーコネクタの形状は、すべて同じであるため、プリント配線基板３を装着したバッテリーコネクタを取り付けるソケット等の被取付部の形状、大きさが変わると対応できず、それに合わせた異なる形状のバッテリーコネクタを新たに形成する必要があった。
【０００７】
又、従来技術１及び従来技術２のバッテリーコネクタＰ１、Ｐ２とも、ハウジング１００から突出する１つのハンダ付け部１０２を有するため、それ以上の小型化ができない問題点と、ハンダ付け部１０２とプリント配線基板３とのハンダ付けに際し、ハンダの表面張力により実装ずれが起きる課題があった。
【課題を解決するための手段】
【０００８】
上記の課題を解決するために、コンタクト部材を嵌合可能なコンタクト部材用嵌合凹部と、コンタクト部材のプリント配線基板装着部と嵌合可能な壁端部と、コンタクト部材の装着底面部と同一平面を形成する外壁面と、コンタクト部材の装着側面部と同一平面を形成する外壁面とを有するハウジングと、
外部から挿入される板状体と接触可能な接触部分を有するバネ体と、ハウジングの嵌合凹部に対応する形状を有する嵌合部と、ハウジング壁端部に嵌合可能なプリント配線基板装着部を有するコンタクト部材とからなり、
ハウジングにコンタクト部材を嵌合させた後、コンタクト部材のプリント配線基板装着部の装着底面部とハウジング外壁面による同一平面を第１のプリント配線基板実装面として形成し、装着側面部とハウジング外壁面による同一平面を第２のプリント配線基板実装面として形成し、２つのプリント配線基板実装面のどちら面によってもプリント配線基板にハンダ付けされて取り付けることが可能なことを特徴とするバッテリーコネクタを提案する。
【発明の効果】
【０００９】
この発明によれば、コンタクト部材をプリント配線基板に取り付けるハンダ付け部をバッテリーコネクタのプリント配線基板実装面２面に設けることができ、複数の異なる形状の被装着体に装着することが可能となった。
【００１０】
また、この発明はハンダ付け部が装着底面部両側外面又は装着側面部両側であるため、ハンダ溶解時の表面張力からなるフィレットがＵ字形の２個所に形成され、ハンダ付けの面積が小さくても良好なハンダ付け強度を有し、ハンダ付け時のセルフアライアメント効果を有する。
【発明を実施するための最良の形態】
【００１１】
この発明のバッテリーコネクタＢＣを、１つの実施形態を示す図１乃至図３に基づいて説明する。図１は、この発明のバッテリーコネクタＢＣの１つの実施形態を示す正面図、図２は、図１のバッテリーコネクタの第１プリント配線基板実装面へプリント配線基板を装着したバッテリーコネクタを、１つのソケットに備えた使用状態を示し、バッテリーコネクター部分は図１のＡＡ線の断面を示す部分断面説明図、図３は、図１のバッテリーコネクタの第２プリント配線基板実装面へプリント配線基板を装着したバッテリーコネクタを、他のソケットに備えた使用状態を示し、バッテリーコネクター部分は図１のＡＡ線の断面を示す部分断面説明図である。
【００１２】
この発明の１つの実施形態を示すバッテリーコネクタＢＣは、ハウジング１と、コンタクト部材２からなり、コンタクト部材２のハンダ付部２０によりプリント配線基板３にハンダ付けにより装着される。
【００１３】
ハウジング１は、外面が６面からなる略直方体であり、後述するコンタクト部材２の嵌合部２１に対応する形状で密着して嵌合可能な凹部であるコンタクト部材用嵌合凹部１０と、コンタクト部材２のプリント配線基板装着部２３と嵌合可能な壁端部１３と、コンタクト部材２の装着底面部２３ａと同一平面を形成する外壁面１２ａと、コンタクト部材２の装着側面部２３ｂと同一平面を形成する外壁面１２ｂとを有し、プリント配線基板実装面１１ａ、１１ｂ以外の２つの面に複数のコンタクト用開口部１５を開口している。
【００１４】
コンタクト部材２は、平面視又は底面視でコ字形のバネ体２２と、このバネ体２２の背面側から連続する部材でありハウジング１のコンタクト部材用嵌合凹部１０に対応する形状を有する嵌合部２１と、ハウジング壁端部１３に嵌合可能なプリント配線基板装着部２３を有している。プリント配線基板装着部２３は、この実施形態では図１のＡＡ線断面方向から視てＵ字形状を有しており、装着底面部２３ａはＵ字底面部であり、装着側面部２３ｂは、Ｕ字の外側に位置する一方の側面部である。コ字形のバネ体２２は、板バネにより両側から挟み付けて接触する作用を有し、ハウジング１のコンタクト用開口部１５を介して外部から挿入される板状体（図示せず）と接触可能な接触凸部２４を有している。
【００１５】
ハウジング１の第１プリント配線基板実装面１１ａは、ハウジング１の一部である外壁面１２ａと、同じハウジング１の一部である壁端部１３に嵌合されるプリント配線基板装着部２３の装着底面部２３ａとから成り、外壁面１２ａと装着底面部２３ａとは、中間にコンタクト部材２の嵌合部２１を挟んで同一平面を形成している。この平面にプリント配線基板３の取り付け面を接して取り付ける場合、装着底面部（Ｕ字底面部）２３ａの両端部である両側の湾曲する外側面部がハンダ付け部２０ａとなる。
【００１６】
ハウジング１の他の第２プリント配線基板実装面１１ｂは、ハウジング１の一部である外壁面１２ｂと、同じハウジング１の一部である壁端部１３に嵌合されるプリント配線基板装着部２３の装着側面部２３ｂとから成り、外壁面１２ｂと装着側面部２３ｂとは、中間に空間部１４を挟んで同一平面を形成している。この平面にプリント配線基板３の取り付け面を接して取り付ける場合、両端部である１つの湾曲するＵ字外側面とＵ字形側面端部がハンダ付け部２０ｂとなる。この実施形態では、第２プリント配線基板実装面１１ｂの方が、第１プリント配線基板実装面１１ａより細長い長方形からなる。
【００１７】
次に、この発明の実施形態である３ＰバッテリーコネクタＢＣを、プリント配線基板３の取り付け面に取り付ける作業及び作用について説明する。バッテリーコネクタＢＣは、ハウジング１内部にコンタクト部材２を、ハウジング１のコンタクト部材用嵌合凹部１０に嵌合部２１を嵌合させる。このときＵ字形のプリント配線基板装着部２３がハウジング１の壁端部１３を、Ｕ溝により挟むようにして係合するとともに、コンタクト部材２の接触凸部２４はコンタクト用開口部１５から見える位置に設けられる。
【００１８】
この発明の実施形態であるバッテリーコネクタＢＣは、コンタクト部材２が、ハウジング１内へ嵌合された状態で、装着底面部２３ａを有する第１プリント配線基板実装面１１ａと、装着側面部２３ｂを有する第２プリント配線基板実装面１１ｂとの２つのプリント配線基板実装面１１ａ、１１ｂが形成される。
【００１９】
次に、このバッテリーコネクタＢＣを装着するソケットＳ１、ソケットＳ２等の形状や、幅、大きさにより、短い第１プリント配線基板実装面１１ａ又は長い第２プリント配線基板実装面１１ｂのどちらかを選択し、ハンダ付け部２０ａ又は２０ｂとプリント配線基板３の間でハンダ付けにより取り付ける。図２は、幅の狭いソケットＳ１に対応して第１プリント配線基板実装面１１ａにプリント配線基板３を取り付けた状態のバッテリーコネクタＢＣをソケットＳ１に備えた実施例であり、図３は、幅の広いソケットＳ２に対応して第２プリント配線基板実装面１１ｂにプリント配線基板３を取り付けた状態のバッテリーコネクタＢＣをソケットＳ２に備えた実施例である。
【００２０】
このときハンダ付け部２０ａ及び２０ｂは、ハンダを安定させることができるとともに、加熱しハンダが溶融するときに発生するフラックスガスによる溶融ハンダのハウジング内部への飛散を防護している。
【産業上の利用可能性】
【００２１】
この発明は、携帯電話等の小型化が要望される携帯機器用バッテリーコネクタのプリント配線基板と取り付け可能なプリント配線基板実装面を少なくとも２面形成し、１つの面を選択して取付け可能なため、携帯機器用バッテリーコネクタを設ける被取付部の形状、大きさに合わせて取り付けられる効果を有し、携帯機器用のバッテリーコネクタとして利用性が高い。
【図面の簡単な説明】
【００２２】
【図１】この発明の１つの実施形態を示すバッテリーコネクタを示す正面図
【図２】同じく図１のバッテリーコネクタの第１プリント配線基板実装面へプリント配線基板を装着したバッテリーコネクタを、１つのソケットに備えた使用状態を示し、バッテリーコネクター部分は図１のＡＡ線の断面を示す部分断面説明図
【図３】同じく図１のバッテリーコネクタの第２プリント配線基板実装面へプリント配線基板を装着したバッテリーコネクタを、他のソケットに備えた使用状態を示し、バッテリーコネクター部分は図１のＡＡ線の断面を示す部分断面説明図
【図４】従来技術１のバッテリーコネクタの平面図
【図５】従来技術１を示し図４のＢＢ線断面図
【図６】従来技術２のバッテリーコネクタの平面図
【図７】従来技術２を示し図６のＣＣ線断面図
【符号の説明】
【００２３】
ＢＣ  バッテリーコネクタ
１  ハウジング
１０  コンタクト部材用嵌合凹部
１１ａ  第１プリント配線基板実装面
１１ｂ  第２プリント配線基板実装面
１２ａ  外壁面
１２ｂ  外壁面
１３  壁端部
１４  空間部
１５  コンタクト用開口部
２  コンタクト部材
２０  ハンダ付け部
２１  嵌合部
２２  バネ体
２３  プリント配線基板装着部（Ｕ字形装着部）
２３ａ  装着底面部（Ｕ字底面部）
２３ｂ  装着側面部（Ｕ字側面部）
２４  接触凸部
３  プリント配線基板
Ｓ１  ソケット
Ｓ２  ソケット
【図１】
2005190925.tif 000003
【図２】
2005190925.tif 000004
【図３】
2005190925.tif 000005
【図４】
2005190925.tif 000006
【図５】
2005190925.tif 000007
【図６】
2005190925.tif 000008
【図７】
2005190925.tif 000009